【手続補正書】
【提出日】平成21年10月26日(2009.10.26)
【手続補正１】
【補正対象書類名】明細書
【補正対象項目名】特許請求の範囲
【補正方法】変更
【補正の内容】
【特許請求の範囲】
【請求項１】
ユーザー端末側とネットワークを介して接続されたサーバー側に備えられた辞書データ記録手段であって、「前記ユーザー端末側から入力もしくは送信された『語句、及び／又は、その語句に対応する読み』」を含む辞書データ（日本語の辞書データだけでなく、中国語などの漢字を含む外国言語の辞書データをも含む）を、前記入力もしくは送信したユーザーの識別データと対応付けて記録しておくための辞書データ記録手段と、
ネットワークに接続されたユーザー端末側に備えられ又は前記ユーザー端末側とネットワークを介して接続されたサーバー側に備えられた語句提示等手段であって、前記ユーザー端末側から入力もしくは送信された「読み」及びユーザー識別データに対応して、「前記辞書データ記録手段に記録されている、前記入力もしくは送信されたユーザー識別データと対応する、辞書データ」に基づいて、前記入力もしくは送信された「読み」に対応する語句もしくは文章又はその候補を、ユーザーのために提示、選択、もしくは決定するための語句提示等手段と、
を備えたことを特徴とする、入力のためのシステム。
【請求項２】
ユーザー端末側とネットワークを介して接続されたサーバー側に備えられた辞書データ記録手段であって、「前記ユーザー端末側から入力もしくは送信された『語句、及び／又は、その語句に対応する読み』」を含む辞書データ（日本語の辞書データだけでなく、中国語などの漢字を含む外国言語の辞書データをも含む）を、前記入力もしくは送信したユーザーが希望する属性データ若しくは前記ユーザーの属性データと関連付けて記録しておくための辞書データ記録手段と、
ネットワークに接続されたユーザー端末側に備えられ又は前記ユーザー端末側とネットワークを介して接続されたサーバー側に備えられた語句提示等手段であって、前記ユーザー端末側から入力もしくは送信した「読み」及び属性データに対応して、「前記辞書データ記録手段に記録されている、前記入力もしくは送信された属性データと対応する、辞書データ」に基づいて、前記入力もしくは送信された「読み」に対応する語句もしくは文章又はその候補を、ユーザーのために提示、選択、もしくは決定するための語句提示等手段と、
を備えたことを特徴とする、入力のためのシステム。
【請求項３】
ユーザー端末側とネットワークを介して接続されたサーバー側に備えられた辞書データ記録手段であって、「前記ユーザー端末側から入力もしくは送信された『語句、及び／又は、その語句に対応する読み』」を含む辞書データ（日本語の辞書データだけでなく、中国語などの漢字を含む外国言語の辞書データをも含む）を、前記入力もしくは送信したユーザーの「入力作業もしくは入力内容の目的もしくは対象が属する『分野、分類、もしくはカテゴリ』、又は、前記ユーザーが希望する『分野、分類、もしくはカテゴリ』」と関連付けて記録しておくための辞書データ記録手段と、
ネットワークに接続されたユーザー端末側に備えられ又は前記ユーザー端末側とネットワークを介して接続されたサーバー側に備えられた語句提示等手段であって、前記ユーザー端末側から入力もしくは送信された「読み」及び『分野、分類、もしくはカテゴリ』に対応して、「前記サーバー側の辞書データ記録手段に記録されている、前記入力もしくは送信された『分野、分類、もしくはカテゴリ』と関連する、辞書データ」に基づいて、前記入力もしくは送信された「読み」に対応する語句もしくは文章又はその候補を、ユーザーのために提示、選択、もしくは決定するための語句提示等手段と、
を備えたことを特徴とする、入力のためのシステム。
【請求項４】
ユーザー端末側とネットワークを介して接続されたサーバー側に備えられた辞書データ記録手段であって、「前記ユーザー端末側から入力もしくは送信された『語句、及び／又は、その語句に対応する読み』」を含む辞書データ（日本語の辞書データだけでなく、中国語などの漢字を含む外国言語の辞書データをも含む）、及び、「前記ユーザー端末側から入力もしくは送信された語句もしくはその読みについて、それをユーザーがどれだけ頻繁に繰り返し使用もしくは入力したか、を示す使用頻度データ」を、前記入力もしくは送信したユーザーの識別データと対応付けて記録しておくための辞書データ記録手段と、
ネットワークに接続されたユーザー端末側に備えられ又は前記ユーザー端末側とネットワークを介して接続されたサーバー側に備えられた語句提示等手段であって、前記ユーザー端末側から入力もしくは送信された「読み」及びユーザー識別データに対応して、「前記サーバー側の辞書データ記録手段に記録されている、前記入力もしくは送信されたユーザー識別データと対応付けられた、辞書データ及び使用頻度データ」に基づいて、前記入力もしくは送信された「読み」に対応する語句もしくは文章又はその候補を、ユーザーのために提示、選択、もしくは決定するための語句提示等手段と、
を備えたことを特徴とする、入力のためのシステム。
【請求項５】
ユーザー端末側とネットワークを介して接続されたサーバー側に備えられた辞書データ記録手段であって、「前記ユーザー端末側から入力もしくは送信された『語句、及び／又は、その語句に対応する読み』」を含む辞書データ（日本語の辞書データだけでなく、中国語などの漢字を含む外国言語の辞書データをも含む）、及び、「前記ユーザー端末側から入力もしくは送信された語句もしくはその読みについて、それをユーザーがどれだけ頻繁に繰り返し使用もしくは入力したか、を示す使用頻度データ」を、各ユーザーの属性データと対応付けて記録しておくための辞書データ記録手段と、
ネットワークに接続されたユーザー端末側に備えられ又は前記ユーザー端末側とネットワークを介して接続されたサーバー側に備えられた語句提示等手段であって、前記ユーザー端末側から入力もしくは送信された「読み」及びユーザー属性データに対応して、「前記サーバー側の辞書データ記録手段に記録されている、前記入力もしくは送信されたユーザー属性データと対応付けられた、辞書データ及び使用頻度データ」に基づいて、前記入力もしくは送信された「読み」に対応する語句もしくは文章又はその候補を、ユーザーのために提示、選択、もしくは決定するための語句提示等手段と、
を備えたことを特徴とする、入力のためのシステム。
【請求項６】
ユーザー端末側とネットワークを介して接続されたサーバー側に備えられた辞書データ記録手段であって、「前記ユーザー端末側から入力もしくは送信された『語句、及び／又は、その語句に対応する読み』」を含む辞書データ（日本語の辞書データだけでなく、中国語などの漢字を含む外国言語の辞書データをも含む）、及び、「前記ユーザー端末側から入力もしくは送信された語句もしくはその読みについて、それをユーザーがどれだけ頻繁に繰り返し使用もしくは入力したか、を示す使用頻度データ」を、「各入力作業もしくは入力内容の目的もしくは対象が属する『分野、分類、もしくはカテゴリ』、又は、各ユーザーが希望する『分野、分類、もしくはカテゴリ』」と対応付けて記録しておくための辞書データ記録手段と、
ネットワークに接続されたユーザー端末側に備えられ又は前記ユーザー端末側とネットワークを介して接続されたサーバー側に備えられた語句提示等手段であって、前記ユーザー端末側から入力もしくは送信された「読み」及び『分野、分類、もしくはカテゴリ』に対応して、「前記サーバー側の辞書データ記録手段に記録されている、前記入力もしくは送信された『分野、分類、もしくはカテゴリ』と対応付けられた、辞書データ及び使用頻度データ」に基づいて、前記入力もしくは送信された「読み」に対応する語句もしくは文章又はその候補を、ユーザーのために提示、選択、もしくは決定するための語句提示等手段と、
を備えたことを特徴とする、入力のためのシステム。
【請求項７】
請求項４から６までのいずれかにおいて、
前記ユーザー端末側又は前記サーバー側に備えられた使用頻度データ取得手段であって、「或る語句もしくはその読みについて、それをユーザーがどれだけ頻繁に繰り返して使用、入力もしくは送信したか、を示す使用頻度データ」を取得するための使用頻度データ取得手段を備えており、
前記辞書データ記録手段は、前記使用頻度データ取得手段により取得された使用頻度データを、各ユーザーの識別データ、各ユーザーが希望する属性データ若しくは各ユーザーの属性データ、又は、「各入力作業もしくは入力内容の目的もしくは対象が属する『分野、分類、もしくはカテゴリ』、又は、各ユーザーが希望する『分野、分類、もしくはカテゴリ』」と関連付けて、記録しておくものである、ことを特徴とする、入力のためのシステム。
【手続補正２】
【補正対象書類名】明細書
【補正対象項目名】０００４
【補正方法】変更
【補正の内容】
【０００４】
本発明は、各ユーザーが、個々の端末に左右されることなく、「自らの識別データ、属性データ、又は入力作業をしようとする分野等から見て最適な辞書データ」を使用して、語句や文章などを効率的に入力することができる、入力のためのシステムを提供することを目的とする。
【手続補正３】
【補正対象書類名】明細書
【補正対象項目名】０００７
【補正方法】変更
【補正の内容】
【０００７】
第１  本願で特許を請求する部分は、本願の特許請求の範囲に記載された発明である。
第２  「本願の特許請求の範囲に記載された発明」そのものではないが、本明細書においては、次のような発明も開示・提案している。
１  ネットワークに接続されたユーザー端末側に備えられた読み入力手段であって、ユーザーが語句の「読み」の入力を行うための読み入力手段と、前記ユーザー端末側に備えられた辞書データ入力手段であって、「語句、及び、その語句に対応する読み」を含む辞書データを各ユーザーが自分で入力するための辞書データ入力手段と、前記ユーザー端末とネットワークを介して接続されたサーバー側に備えられた辞書データ記録手段であって、ユーザーが入力した「語句、及び、その語句に対応する読み」を含む辞書データ（日本語の辞書データだけでなく、中国語などの漢字を含む外国言語の辞書データをも含む）を記録しておくための辞書データ記録手段と、前記ユーザー端末側に備えられ又は前記ユーザー端末とネットワークを介して接続されたサーバー側に備えられた語句提示等手段であって、ユーザーが前記読み入力手段により語句の「読み」を入力したとき、前記サーバー側の辞書データ記録手段に記録されている「語句、及び、その語句に対応する読み」を含む辞書データを利用して、前記入力された「読み」に対応する語句を決定又は選択するための語句提示等手段と、を備えたことを特徴とする、入力のためのシステム。
２  上記１において、前記ユーザー端末とネットワークを介して接続されたサーバー側に備えられた許可手段であって、各ユーザーが前記ユーザー端末を使用して語句の「読み」を入力したとき、前記語句提示等手段が、前記辞書データ記録手段に記録されている「語句、及び、その語句に対応する読み」を含む辞書データをネットワークを介して利用することを許可するための許可手段、を備えたことを特徴とする、入力のためのシステム。
３  ユーザーが、ネットワークに接続されたユーザー端末を使用して、語句の「読み」の入力を行うための読み入力手段であって、ユーザー端末側に備えられた語句入力手段と、前記ユーザー端末側に備えられた辞書データ入力手段であって、「語句、及び、その語句に対応する読み」を含む辞書データを各ユーザーが入力するための辞書データ入力手段と、前記ユーザー端末とネットワークを介して接続されたサーバー側に備えられた辞書データ記録手段であって、前記ユーザーが入力した辞書データを、各ユーザーの識別データと関連付けて記録しておくための辞書データ記録手段と、前記ユーザー端末側に備えられ又は前記ユーザー端末とネットワークを介して接続されたサーバー側に備えられた語句提示等手段であって、あるユーザーが前記ユーザー端末を使用して語句の「読み」を入力するとき、前記辞書データ記録手段に記録されている辞書データであって前記のあるユーザーの識別データと関連する辞書データを利用することにより、前記入力された「読み」に対応する語句を決定又は選択するための語句提示等手段と、を備えたことを特徴とする、入力のためのシステム。
４  ネットワークに接続されたユーザー端末側に備えられ、ユーザーが語句の「読み」の入力を行うための読み入力手段と、前記ユーザー端末側に備えられた辞書データ入力手段であって、「語句、及び、その語句に対応する読み」を含む辞書データを各ユーザーが自分で入力するための辞書データ入力手段と、前記ユーザー端末とネットワークを介して接続されたサーバー側に備えられた辞書データ記録手段であって、前記各ユーザーが入力した辞書データを、前記各ユーザーのユーザー属性データと関連付けて記録しておくための辞書データ記録手段と、前記ユーザー端末側に備えられ又は前記ユーザー端末とネットワークを介して接続されたサーバー側に備えられた語句提示等手段であって、あるユーザーが前記ユーザー端末を使用して語句の「読み」を入力するとき、前記辞書データ記録手段に記録されている辞書データであって前記のあるユーザーの属性データと関連する辞書データを利用することにより、前記入力された「読み」に対応する語句を決定又は選択するための語句提示等手段と、を備えたことを特徴とする、入力のためのシステム。
５  ユーザー端末側に備えられた読み入力手段であって、ユーザーが語句の「読み」の入力を行うための読み入力手段と、前記ユーザー端末側に備えられた辞書データ入力手段であって、「語句、及び、その語句に対応する読み」を含む辞書データを各ユーザーが自分で入力するための辞書データ入力手段と、前記ユーザー端末とネットワークを介して接続されたサーバー側に備えられた辞書データ記録手段であって、前記の各ユーザーが入力した各辞書データを、「各辞書データに含まれる語句を特定又は分類するための分野属性」と関連付けて記録しておくための辞書データ記録手段と、前記ユーザー端末側に備えられ又は前記ユーザー端末とネットワークを介して接続されたサーバー側に備えられた語句提示等手段であって、あるユーザーが前記ユーザー端末側の読み入力手段により語句の「読み」を入力したとき、「前記サーバー側の辞書データ記録手段に記録された辞書データであって、前記ユーザー端末側からの情報に基づいて特定される分野属性と関連する辞書データ」を利用することにより、前記読み入力手段からの「読み」に対応する語句を決定又は選択するための語句提示等手段と、を備えたことを特徴とする、入力のためのシステム。
６  ネットワークに接続されたユーザー端末側に備えられた読み入力手段であって、ユーザーが語句の「読み」の入力を行うための読み入力手段と、各ユーザーが前記読み入力手段を使用して語句の「読み」の入力を行うとき、「或る語句もしくはその読みについて、それをユーザーがどれだけ頻繁に繰り返し使用もしくは入力したか、を示す使用頻度データ」を自動的に生成するための使用頻度データ生成手段と、前記ユーザー端末とネットワークを介して接続されたサーバー側に備えられた使用頻度データ記録手段であって、前記使用頻度データ生成手段により生成された使用頻度データを、前記各ユーザーの識別データ又は属性データと関連付けて記録しておくための使用頻度データ記録手段と、前記ユーザー端末側に備えられ又は前記ユーザー端末とネットワークを介して接続されたサーバー側に備えられた語句提示等手段であって、あるユーザーが各ユーザー端末側から前記読み入力手段により語句の「読み」の入力を行ったとき、「前記サーバー側に備えられた使用頻度データ記録手段に記録された使用頻度データであって、前記各ユーザーの識別データ又は属性データと関連する使用頻度データ」を利用することにより、前記の読み入力手段により入力された「読み」に対応する語句を決定又は選択するための語句提示等手段と、を備えたことを特徴とする、入力のためのシステム。
７  ユーザーが、ネットワークに接続されたユーザー端末を使用して、語句の「読み」の入力を行うための語句入力手段と、各ユーザーが前記語句入力手段を使用して語句の「読み」の入力を行うとき、「或る語句について、それをユーザーがどれだけ頻繁に繰り返し入力したか、を示す使用頻度データ」を自動的に生成するための使用頻度データ生成手段と、前記ユーザー端末とネットワークを介して接続されたサーバー側に備えられた使用頻度データ記録手段であって、前記使用頻度データ入力手段により入力された使用頻度データを、その使用頻度データの対象となる語句を特定又は分類するための分野属性と関連付けて記録しておくための使用頻度データ記録手段と、前記ユーザー端末側に備えられ又は前記ユーザー端末とネットワークを介して接続されたサーバー側に備えられた語句提示等手段であって、あるユーザーが各ユーザー端末側から前記読み入力手段により語句の「読み」の入力を行うとき、「前記サーバー側の使用頻度データ記録手段に記録された使用頻度データであって、前記ユーザー端末側からの情報により特定される分野属性と関連する使用頻度データ」を利用することにより、前記の読み入力手段により入力された「読み」に対応する語句を決定又は選択するための語句提示等手段と、を備えたことを特徴とする、入力のためのシステム。
８  ユーザーが、ネットワークに接続されたユーザー端末を使用して、ネットワークに接続されたユーザー端末を使用して、語句の「読み」の入力を行うための機能と、ユーザーが、前記ユーザー端末を使用して、「語句、及び、その語句に対応する読み」を含む辞書データを入力するための機能と、前記ユーザー端末から、前記辞書データが入力されたとき、前記ユーザー端末とネットワークを介して接続されたサーバー側の辞書データ記録手段に前記辞書データを記録する機能と、ユーザーが前記ユーザー端末を使用して語句の「読み」を入力したとき、前記サーバー側の辞書データ記録手段に記録された辞書データを利用して、前記の入力された「読み」に対応する語句を決定するための機能と、を実現するための語句入力のためのコンピュータプログラム。
９  各ユーザーが、ネットワークに接続されたユーザー端末を使用して、ネットワークに接続されたユーザー端末を使用して、語句の「読み」の入力を行うと共に、各ユーザーが、前記ユーザー端末を使用して、「語句、及び、その語句に対応する読み」を含む辞書データを入力するステップと、前記ユーザー端末から、前記辞書データが入力されたとき、前記ユーザー端末とネットワークを介して接続されたサーバー側の辞書データ記録手段に前記辞書データを記録するステップと、ユーザーが前記ユーザー端末を使用して語句の「読み」を入力したとき、前記サーバー側の辞書データ記録手段に記録された辞書データを利用して、前記の入力された「読み」に対応する語句を決定するためのステップと、を実現するための語句入力のためのコンピュータプログラム。
なお、本願発明、すなわち、特許請求の範囲の請求項１から８までの語句入力システムの発明の内容は、その中に含まれる各「手段」の内容をそのまま各「ステップ」の内容とする語句入力方法としても、把握することができる。
【手続補正４】
【補正対象書類名】明細書
【補正対象項目名】００２０
【補正方法】変更
【補正の内容】
【００２０】
【発明の効果】
第１  本発明による効果
本発明においては、ユーザー側から入力もしくは送信された「辞書データ」を、ネットワーク上のサーバー側に、各ユーザーの識別データ、属性データ、又は入力作業をしようとする分野等と関連付けて記録・蓄積しておき、それをユーザーが個々の端末からネットワーク経由で利用するという構成（技術的思想）を採用したので、各ユーザーは、個々の端末に左右されることなく、どの場所でも又どの端末からでも、「各ユーザーの識別データ、属性データ、又は入力作業をしようとする分野等から見て最適な辞書データ」を使用して、効率的に入力作業ができるようになる。
また、本発明においては、「ユーザー側から入力もしくは送信された、辞書データ」及び「ユーザー側から入力もしくは送信された又はサーバー側が受信もしくは取得した、使用頻度データ」を、ネットワーク上のサーバー側に、各ユーザーの識別データ、属性データ、又は入力作業をしようとする分野等と関連付けて記録・蓄積記録・蓄積しておき、それをユーザーが個々の端末からネットワーク経由で利用するという構成（技術的思想）を採用したので、各ユーザーは、個々の端末に左右されることなく、どの場所でも又どの端末からでも、「各ユーザーの識別データ、属性データ、又は入力作業をしようとする分野等から見て最適な、辞書データ及び使用頻度データ」を使用して、効率的に入力作業ができるようになる。
第２  本発明の実施形態による効果（その１）
１  本発明の実施形態において、複数のユーザー側から入力もしくは送信された「辞書データ」、又は、複数のユーザー側から入力もしくは送信された又はサーバー側が受信もしくは取得した「使用頻度データ」を、サーバー側に記録しておき、それを複数のユーザーが互いにアクセス・利用できるようにしたときは、複数のユーザーに関連する辞書データ又は使用頻度データをまとめた大量のデータベースを、各ユーザー相互間で「共有化」することができる。この大量のデータベースの中には、複数のユーザーがそれぞれユーザー辞書登録機能により入力した大量の語句とその読みが含まれている。よって、各ユーザーは、これらの複数のユーザーが提供して形成された大量の「辞書データ又は使用頻度データ」のデータベースを使用することにより、日本語辞書や中国語辞書などの漢字辞書を作成する企業（漢字辞書を作成するソフトメーカー）だけでは到底入力・蓄積できなかったような最新の語句や各分野の大量の語句を含む漢字辞書を、利用できるようになる。
２  本発明の実施形態において、複数のユーザー側から入力もしくは送信された「辞書データ」、又は、複数のユーザー側から入力もしくは送信された又はサーバー側が受信もしくは取得した「使用頻度データ」を、「ユーザー属性データ、又は、各辞書データ（各語句データ）・各入力内容・各入力作業に関連する若しくは各ユーザーが希望する分野・分類もしくはカテゴリ」と関連付けてサーバー側に記録するようにしたときは、複数のユーザーに関連する「辞書データ又は使用頻度データ」をまとめた大量のデータベースを、複数のユーザーの間で「共有化」することができる。そして、この大量のデータベースは、前記の「ユーザー属性データ、又は、各辞書データ（各語句データ）・各入力内容・各入力作業に関連する若しくは各ユーザーが希望する分野・分類もしくはカテゴリ」をキーとして、検索・抽出できるようになっている。よって、各ユーザーは、これらの複数のユーザー側から提供・公開されて形成された大量の「辞書データ又は使用頻度データ」のデータベースの中から、自分にとって便利な（自分が希望する）、又は、そのときの自分の入力作業にとって便利な「ユーザー属性データ、又は、分野・分類もしくはカテゴリ」と関連する「辞書データ又は使用頻度データ」のみを、利用することができるようになる。
第３  本発明の実施形態による効果（その２）
また、本発明の実施形態によれば、次のような効果をも奏することができる。
１）  メーカーが提供した「漢字又は片仮名辞書」（日本語辞書や中国語辞書などのように、かな又はローマ字などの入力文字から、該当する漢字又は片仮名を含む語句を参照できるように記録した辞書）の中に未だ記録・収録されていない語句については、個々のユーザーは、それらを、いちいちユーザー辞書登録機能を使用して入力し登録する必要がある、という従来のかな漢字変換システムなどの入力のためのシステムにおける不便さ（不都合）を、解消することができる。
２）  ユーザーがどのような端末を使用していても、共通に、自分に適したユーザー辞書を含む「漢字及び／又は片仮名辞書」を、使用することができる。
３）  所定の期間（従来の学習機能により変換効率の向上が達せられるまでの期間）を経過するまでは、個々のユーザーは、「学習機能による変換効率の向上」を得られないまま使用しなくてはならない、という従来のかな漢字変換システムなどの入力のためのシステムにおける不便さ（不都合）を、解消することができる。
４）  ユーザーがどのような端末を使用していても、共通に、かつ直ちに、自分に適した「学習機能による変換効率の向上」を享受して、漢字又は片仮名を含む語句を入力することができる。